(57)【要約】【課題】放射線画像に対して、ユーザが簡便な操作で最適なマーカ設定やトリミング設定を行う。【解決手段】画像データを解析することで被写体の撮影部位または撮影方向を自動的に認識して撮影部位方向情報を生成する被写体部位認識手段と、複数種類のマーカに関するマーカ情報を出力情報として予め記憶する出力情報記憶手段と、画像データに付加するマーカを出力情報として選定する出力情報設定手段と、を有し、前記出力情報設定手段は、前記撮影部位方向情報に基づいて画像データに付加するマーカを選定し、該選定されたマーカを前記出力情報記憶手段から呼び出して前記画像データに付加する、ことを特徴とする。【選択図】      図１
2004337291.tif 000002
【特許請求の範囲】
【請求項１】
画像データを解析することで被写体の撮影部位または撮影方向を自動的に認識して撮影部位方向情報を生成する被写体部位認識ステップと、
複数種類のマーカに関するマーカ情報を出力情報として予め記憶する出力情報記憶ステップと、
画像データに付加するマーカを出力情報として選定する出力情報設定ステップと、を有し、
前記出力情報設定ステップは、前記撮影部位方向情報に基づいて画像データに付加するマーカを選定し、該選定されたマーカを前記出力情報記憶ステップから呼び出して前記画像データに付加する、
ことを特徴とする画像出力情報設定方法。
【請求項２】
前記被写体部位認識ステップでは、入力された画像データ中に占める被写体の領域を認識するとともに、該被写体領域の画像中の位置や範囲を表す被写体領域情報を出力し、
前記出力情報設定ステップでは、前記被写体領域情報に基づいて、画像中に占めるマーカの位置または大きさを変更する、
ことを特徴とする請求項１に記載の画像出力情報設定方法。
【請求項３】
前記出力情報設定ステップによって設定された出力情報を表示する出力情報表示ステップと、
前記出力情報を修正する出力情報修正ステップと、を有し、
前記出力情報設定ステップは、前記出力情報修正ステップからマーカ種別またはマーカ位置の変更を受け付けつつ、該受け付けた変更を反映しつつ前記出力情報表示ステップに表示する、
ことを特徴とする請求項１または請求項２のいずれかに記載の画像出力情報設定方法。
【請求項４】
画像データを解析することで被写体が撮影されている被写体領域を認識して被写体領域情報を生成する被写体部位認識ステップと、
画像データに応じた画像をフィルム出力する際のフィルムのサイズ、及び、前記画像データ中のトリミング領域の位置を決定する出力情報設定ステップと、
を有し、
前記出力情報設定ステップは、前記被写体領域情報に基づいてトリミングサイズ及びトリミング位置を決定する、
ことを特徴とする画像出力情報設定方法。
【請求項５】
画像データを解析することで被写体の撮影部位または撮影方向を自動的に認識して撮影部位方向情報を生成する被写体部位認識手段と、
複数種類のマーカに関するマーカ情報を出力情報として予め記憶する出力情報記憶手段と、
画像データに付加するマーカを出力情報として選定する出力情報設定手段と、
を有し、
前記出力情報設定手段は、前記撮影部位方向情報に基づいて画像データに付加するマーカを選定し、該選定されたマーカを前記出力情報記憶手段から呼び出して前記画像データに付加する、
ことを特徴とする画像出力情報設定装置。
【請求項６】
前記被写体部位認識手段では、入力された画像データ中に占める被写体の領域を認識するとともに、該被写体領域の画像中の位置や範囲を表す被写体領域情報を出力し、
前記出力情報設定手段では、前記被写体領域情報に基づいて、画像中に占めるマーカの位置または大きさを変更する、
ことを特徴とする請求項５に記載の画像出力情報設定装置。
【請求項７】
前記出力情報設定手段によって設定された出力情報を表示する出力情報表示手段と、
前記出力情報を修正する出力情報修正手段と、を有し、
前記出力情報設定手段は、前記出力情報修正手段からマーカ種別またはマーカ位置の変更を受け付けつつ、該受け付けた変更を反映しつつ前記出力情報表示手段に表示する、
ことを特徴とする請求項５または請求項６のいずれかに記載の画像出力情報設定装置。
【請求項８】
画像データを解析することで被写体が撮影されている被写体領域を認識して被写体領域情報を生成する被写体部位認識手段と、
画像データに応じた画像をフィルム出力する際のフィルムのサイズ、及び、前記画像データ中のトリミング領域の位置を決定する出力情報設定手段と、
を有し、
前記出力情報設定手段は、前記被写体領域情報に基づいてトリミングサイズ及びトリミング位置を決定する、
ことを特徴とする画像出力情報設定装置。
【請求項９】
画像出力情報を自動設定する画像出力情報設定装置プログラムであって、
画像データを解析することで被写体の撮影部位または撮影方向を自動的に認識して撮影部位方向情報を生成する被写体部位認識ルーチンと、
複数種類のマーカに関するマーカ情報を出力情報として予め記憶する出力情報記憶ルーチンと、
画像データに付加するマーカを出力情報として選定する出力情報設定ルーチンと、を有し、
前記出力情報設定ルーチンでは、前記撮影部位方向情報に基づいて画像データに付加するマーカを選定し、該選定されたマーカを前記出力情報記憶ルーチンから呼び出して前記画像データに付加する、
ことを特徴とする画像出力情報設定プログラム。
【請求項１０】
前記被写体部位認識ルーチンでは、入力された画像データ中に占める被写体の領域を認識するとともに、該被写体領域の画像中の位置や範囲を表す被写体領域情報を出力し、
前記出力情報設定ルーチンでは、前記被写体領域情報に基づいて、画像中に占めるマーカの位置または大きさを変更する、
ことを特徴とする請求項９に記載の画像出力情報設定プログラム。
【請求項１１】
前記出力情報設定ルーチンによって設定された出力情報を表示する出力情報表示ルーチンと、
前記出力情報を修正する出力情報修正ルーチンと、を有し、
前記出力情報設定ルーチンでは、前記出力情報修正ルーチンからマーカ種別またはマーカ位置の変更を受け付けつつ、該受け付けた変更を反映しつつ前記出力情報表示ルーチンにて表示する、
ことを特徴とする請求項９または請求項１０のいずれかに記載の画像出力情報設定プログラム。
【請求項１２】
画像データを解析することで被写体が撮影されている被写体領域を認識して被写体領域情報を生成する被写体部位認識ルーチンと、
画像データに応じた画像をフィルム出力する際のフィルムのサイズ、及び、前記画像データ中のトリミング領域の位置を決定する出力情報設定ルーチンと、
を有し、
前記出力情報設定ルーチンでは、前記被写体領域情報に基づいてトリミングサイズ及びトリミング位置を決定する、
ことを特徴とする画像出力情報設定プログラム。
【発明の詳細な説明】
【０００１】
【発明の属する技術分野】
本発明は画像出力情報設定方法および画像出力情報設定装置ならびに画像出力情報設定プログラムに関し、さらに詳しくは、マーカやトリミングなどの出力情報の自動設定が行える画像出力情報設定方法および画像出力情報設定装置ならびに画像出力情報設定プログラムに関する。
【０００２】
【従来の技術】
従来、診断のためにＸ線撮影を行う際には、撮影部位や方向の情報を表すため、被写体として撮影される患者のすぐ隣や、被写体の一部に重なるよう、マーカを配置することがよく行われる。
【０００３】
例えば、手の撮影を行う場合、右手を撮影したのか、左手を撮影したのか、すぐ判るように、右手の場合は『Ｒ』、左手の場合は『Ｌ』等のマーカを配置する。また、腰椎等を側面から撮影した場合に、人体の右側からＸ線を入射させたのか、左側から入射させたのかを表すために、右から入射した場合は『Ｒ→Ｌ』、左から入射した場合は『Ｌ→Ｒ』といったマーカを配置する。
【０００４】
同様に、胸部等を正面から撮影した場合と、側面方向に撮影した場合とで、それぞれ『Ｐ→Ａ』、『ＬＡＯ』等のマーカが使用される。
【０００５】
ところで、放射線画像を直接デジタル画像として撮影できる装置が開発されている。
【０００６】
例えば、被写体に照射された放射線量を検出し、その検出量に対応して形成される放射線画像を電気信号として得る装置では、輝尽性蛍光体を用いたディテクタを用いる方法が特開昭５５−１２４２９号公報、特開昭６３−１８９８５３号公報等、多数開示されている。
【０００７】
このような装置では、シ−ト状の基板に輝尽性蛍光体を塗布、あるいは蒸着等によって固着したディテクタに、いったん被写体を透過した放射線を照射して輝尽性蛍光体に放射線を吸収させる。その後、この輝尽性蛍光体を光または熱エネルギ−で励起することにより、この輝尽性蛍光体が前記吸収によって蓄積している放射線エネルギ−を蛍光として放射させ、この蛍光を光電変換して画像信号を得る。
【０００８】
一方、照射された放射線の強度に応じた電荷を光導電層に生成し、生成された電荷を二次元的に配列された複数のコンデンサに蓄積し、それら蓄積された電荷を取り出すことにより得られる放射線画像検出装置が提案されている。このような放射線画像形成装置はフラットパネルディテクタ（ＦＰＤ）と呼ばれる。このＦＰＤとしては、特開平９−９００４８号公報に記載されているように、照射された放射線強度に応じた蛍光を発する蛍光体と、蛍光体から発する蛍光を直接または縮小光学系を介して受光し、光電変換を行うフォトダイオードやＣＣＤのような光電変換素子の組み合わせによって実現されるものが知られている。
【０００９】
また特開平６−３４２０９８号公報に記載されているように、照射された放射を直接電荷に変換するものも知られている。
【００１０】
これらの装置では、撮影の際にマーカを配置しなくても、デジタルデータとして画像を取得することができるため、後からデジタルデータとして、自由にマーカの種類や位置などを選んで、画像上に配置することができる。
【００１１】
また、被写体の撮影部位や撮影方向（若しくは撮影体位）毎に、診断に最適な画像を得るための画像処理条件は異なるため、一般に被写体の撮影部位、撮影方向等の情報を予め装置に入力しておき、これらの情報に従って、複数の画像処理条件の中から、最適な条件を選択して画像処理を行う。さらに、上述したように被写体の撮影部位等の情報を予め装置に入力するから、当該情報を用いてマーカの種別や、マーカを配置する位置を決定することが行われる。
【００１２】
ところが、放射線撮影が行われる部位は、頭部から手先、足先に渡るまで多岐に及ぶため、画像処理条件の数も多くならざるを得ない。さらに、マーカの設定なども撮影部位、撮影方向毎に行うと、より多数の条件を予め準備することが必要となる。
【００１３】
そのため、これらの装置を扱う放射線技師等にとって、最適な条件を選択することは煩雑な作業を伴うこととなり、大きな負担となっている。
【００１４】
また、撮影に使用されたディテクタの大きさと、実際に写っている被写体の大きさとは必ずしも一致しない。例えば不要な被曝をさけるため、Ｘ線が照射される照射野自体は、ディテクタの一部に過ぎず、診断に必用な被写体領域もディテクタ上の一部にのみ存在する場合がある。
【００１５】
このような場合、ディテクタのサイズに合わせて画像データをフィルム出力すると、診断に不要な余白部分が多くなり、無駄である。そのため、被写体領域の大きさに合わせて、出力するフィルムのサイズを小さなものに変更し、また当該フィルムに被写体が収まるよう、画像データのトリミングが行われることがある。
【００１６】
このようなフィルムサイズの変更やトリミング設定も、従来は技師等が画像データを目視して、手動で最適な条件を選択しているため、煩雑な操作を必要としていた。
【００１７】
そこで、このような装置において、最適なマーカ設定や、トリミング設定等の出力情報を簡単に設定できるユーザインターフェースが、技師の負担を軽くするために求められている。
【００１８】
例えば、以下の特許文献１には、撮影手技に関する情報に基づいて、画像データに対して方向変換処理を施す画像処理方法において、前記撮影手技に関する情報に基づいてマーカデータの方向及び付与位置を決定する方法が記載されている。
【００１９】
また、以下の特許文献２には、被写体部位の撮影体位を自動判別し、その判別結果に基づいて画像処理のパラメータを変更する方法についての手法が記載されている。
【００２０】
【特許文献１】
特開２００１−２８０４８号公報（第１頁〜第２頁、図１）
【特許文献２】
特開２００１−１５７１９９号公報（第１頁〜第２頁、図１）
【００２１】
【発明が解決しようとする課題】
特開２００１−２８０４８号公報に記載された方法では、結局ユーザが撮影手技に関する情報（放射線の入射方向や患者の向き等）を手入力する必要があり、操作の簡便化という意味では、改善の余地がある。
【００２２】
また、特開２００１−１５７１９９号公報に記載された発明は、画像処理の条件を変更することを主眼としており、マーカの自動設定には、マーカ付与位置などを、被写体の位置関係を考慮して変更する場合もあることから、そのままでは適用できないという問題がある。
【００２３】
本発明は以上のような課題に鑑みてなされたものであって、放射線画像に対して、ユーザが簡便な操作で最適なマーカ設定やトリミング設定を行うことが可能な画像出力情報設定方法および画像出力情報設定装置ならびに画像出力情報設定プログラムを実現することを目的とする。
【００２４】
【課題を解決するための手段】
ＣＲやＦＰＤのようなデジタルのＸ線撮影装置では、取得した画像データに係る被写体の撮影方向等を表すマーカを、撮影後に、デジタルデータとして付加し、フィルム等の最終出力画像に表示させるということが行われる。また、撮影された被写体の大きさに合わせて、出力するフィルムサイズを変更し、無駄なフィルム出力を避けることもよく行われる。
【００２５】
その際、従来においては予め被写体の撮影方向などに合わせて、マーカの種別を選択したり、マーカの配置を決定したおく必要があった。また最適なフィルムサイズを選択するため、撮影後にユーザが目視で最適なフィルムサイズを選択することも行われていた。
【００２６】
そこで、前記した課題を解決する本発明は、被写体の撮影方向等を、撮影された画像データから自動判別し、その結果によって付加するマーカの種別、位置、色などを変更したり、最適なフィルムサイズを自動的に判別することにより、Ｘ線撮影装置を操作するユーザの負荷低減を図る。
【００２７】
より具体的には、以下の（１）〜（４）に記載する通りである。
【００２８】
なお、本願明細書において、「マーカ」とは、画像の撮影部位や撮影方向を意味する予め定められた符号を意味している。また、本願明細書において、「トリミング」とは、フィルムサイズ、画像サイズ、フィルム上の画像配置などを変更することを意味している。
【００２９】
（１）請求項１記載の発明は、画像データを解析することで被写体の撮影部位または撮影方向を自動的に認識して撮影部位方向情報を生成する被写体部位認識ステップと、複数種類のマーカに関するマーカ情報を出力情報として予め記憶する出力情報記憶ステップと、画像データに付加するマーカを出力情報として選定する出力情報設定ステップと、を有し、前記出力情報設定ステップは、前記撮影部位方向情報に基づいて画像データに付加するマーカを選定し、該選定されたマーカを前記出力情報記憶ステップから呼び出して前記画像データに付加する、ことを特徴とする画像出力情報設定方法である。
【００３０】
また、請求項５記載の発明は、画像データを解析することで被写体の撮影部位または撮影方向を自動的に認識して撮影部位方向情報を生成する被写体部位認識手段と、複数種類のマーカに関するマーカ情報を出力情報として予め記憶する出力情報記憶手段と、画像データに付加するマーカを出力情報として選定する出力情報設定手段と、を有し、前記出力情報設定手段は、前記撮影部位方向情報に基づいて画像データに付加するマーカを選定し、該選定されたマーカを前記出力情報記憶手段から呼び出して前記画像データに付加する、ことを特徴とする画像出力情報設定装置である。
【００３１】
また、請求項９記載の発明は、画像出力情報を自動設定する画像出力情報設定装置プログラムであって、画像データを解析することで被写体の撮影部位または撮影方向を自動的に認識して撮影部位方向情報を生成する被写体部位認識ルーチンと、複数種類のマーカに関するマーカ情報を出力情報として予め記憶する出力情報記憶ルーチンと、画像データに付加するマーカを出力情報として選定する出力情報設定ルーチンと、を有し、前記出力情報設定ルーチンでは、前記撮影部位方向情報に基づいて画像データに付加するマーカを選定し、該選定されたマーカを前記出力情報記憶ルーチンから呼び出して前記画像データに付加する、ことを特徴とする画像出力情報設定プログラムである。
【００３２】
これらの発明では、画像出力情報を自動設定する際に、複数種類のマーカに関するマーカ情報を出力情報として予め記憶しておき、画像データを解析することで被写体の撮影部位または撮影方向を自動的に認識して撮影部位方向情報を生成し、この撮影部位方向情報に基づいて画像データに付加するマーカを選定し、この選定されたマーカを呼び出して画像データに付加するようにしている。
【００３３】
この結果、被写体の撮影部位や撮影方向等に応じて適切なマーカを自動的に選択配置できることにより、ユーザが手入力してマーカを設定する必要がなくなるため、操作を簡便化することができる。
【００３４】
（２）請求項２記載の発明は、前記被写体部位認識ステップでは、入力された画像データ中に占める被写体の領域を認識するとともに、該被写体領域の画像中の位置や範囲を表す被写体領域情報を出力し、前記出力情報設定ステップでは、前記被写体領域情報に基づいて、画像中に占めるマーカの位置または大きさを変更する、ことを特徴とする請求項１に記載の画像出力情報設定方法である。
【００３５】
また、請求項６記載の発明は、前記被写体部位認識手段では、入力された画像データ中に占める被写体の領域を認識するとともに、該被写体領域の画像中の位置や範囲を表す被写体領域情報を出力し、前記出力情報設定手段では、前記被写体領域情報に基づいて、画像中に占めるマーカの位置または大きさを変更する、ことを特徴とする請求項５に記載の画像出力情報設定装置である。
【００３６】
また、請求項１０記載の発明は、前記被写体部位認識ルーチンでは、入力された画像データ中に占める被写体の領域を認識するとともに、該被写体領域の画像中の位置や範囲を表す被写体領域情報を出力し、前記出力情報設定ルーチンでは、前記被写体領域情報に基づいて、画像中に占めるマーカの位置または大きさを変更する、ことを特徴とする請求項９に記載の画像出力情報設定プログラムである。
【００３７】
これらの発明では、被写体部位認識の際に入力された画像データ中に占める被写体の領域を認識するとともに、該被写体領域の画像中の位置や範囲を表す被写体領域情報を出力し、出力情報設定の際に、被写体領域情報に基づいて、画像中に占めるマーカの位置または大きさを変更する、ようにしている。
【００３８】
この結果、被写体中の診断に必要な部分に、マーカを重ねて配置してしまうことがなくなり、適切な位置や大きさでマーカを画像に対して付与することが可能になる。
【００３９】
（３）請求項３記載の発明は、前記出力情報設定ステップによって設定された出力情報を表示する出力情報表示ステップと、前記出力情報を修正する出力情報修正ステップと、を有し、前記出力情報設定ステップは、前記出力情報修正ステップからマーカ種別またはマーカ位置の変更を受け付けつつ、該受け付けた変更を反映しつつ前記出力情報表示ステップに表示する、ことを特徴とする請求項１または請求項２のいずれかに記載の画像出力情報設定方法である。
【００４０】
また、請求項７記載の発明は、前記出力情報設定手段によって設定された出力情報を表示する出力情報表示手段と、前記出力情報を修正する出力情報修正手段と、を有し、前記出力情報設定手段は、前記出力情報修正手段からマーカ種別またはマーカ位置の変更を受け付けつつ、該受け付けた変更を反映しつつ前記出力情報表示手段に表示する、ことを特徴とする請求項５または請求項６のいずれかに記載の画像出力情報設定装置である。
【００４１】
また、請求項１１記載の発明は、前記出力情報設定ルーチンによって設定された出力情報を表示する出力情報表示ルーチンと、前記出力情報を修正する出力情報修正ルーチンと、を有し、前記出力情報設定ルーチンでは、前記出力情報修正ルーチンからマーカ種別またはマーカ位置の変更を受け付けつつ、該受け付けた変更を反映しつつ前記出力情報表示ルーチンにて表示する、ことを特徴とする請求項９または請求項１０のいずれかに記載の画像出力情報設定プログラムである。
【００４２】
これらの発明では、出力情報を修正する際に、マーカ種別またはマーカ位置の変更を受け付けつつ、この受け付けた変更を反映しつつ出力情報として表示するようにしている。
【００４３】
この結果、誤ったマーカ情報を自動的に付与したとしても、正しい情報に変更することが可能となる。また、ユーザがより適当な情報へ修正することも可能となる。
【００４４】
（４）請求項４記載の発明は、画像データを解析することで被写体が撮影されている被写体領域を認識して被写体領域情報を生成する被写体部位認識ステップと、画像データに応じた画像をフィルム出力する際のフィルムのサイズ、及び、前記画像データ中のトリミング領域の位置を決定する出力情報設定ステップと、を有し、前記出力情報設定ステップは、前記被写体領域情報に基づいてトリミングサイズ及びトリミング位置を決定する、ことを特徴とする画像出力情報設定方法である。
【００４５】
また、請求項８記載の発明は、画像データを解析することで被写体が撮影されている被写体領域を認識して被写体領域情報を生成する被写体部位認識手段と、画像データに応じた画像をフィルム出力する際のフィルムのサイズ、及び、前記画像データ中のトリミング領域の位置を決定する出力情報設定手段と、を有し、前記出力情報設定手段は、前記被写体領域情報に基づいてトリミングサイズ及びトリミング位置を決定する、ことを特徴とする画像出力情報設定装置である。
【００４６】
また、請求項１２記載の発明は、画像データを解析することで被写体が撮影されている被写体領域を認識して被写体領域情報を生成する被写体部位認識ルーチンと、画像データに応じた画像をフィルム出力する際のフィルムのサイズ、及び、前記画像データ中のトリミング領域の位置を決定する出力情報設定ルーチンと、を有し、前記出力情報設定ルーチンでは、前記被写体領域情報に基づいてトリミングサイズ及びトリミング位置を決定する、ことを特徴とする画像出力情報設定プログラムである。
【００４７】
これらの発明では、画像データを解析することで被写体が撮影されている被写体領域を認識しておき、画像データに応じた画像をフィルム出力する際のフィルムのサイズ、及び、画像データ中のトリミング領域の位置を決定する際に、被写体領域情報に基づいてトリミングサイズ及びトリミング位置を決定するようにしている。
【００４８】
この結果、出力する際のフィルムのサイズ、及び、画像データ中のトリミング領域の位置を決定する際に、ユーザが目視確認しながら操作することを必要とせず、最適なトリミング設定を行うことができる。
【００４９】
【発明の実施の形態】
以下、図面を参照して本発明の実施の形態例を詳細に説明する。以下、本発明による特徴量抽出装置、およびその特徴量に基づく被写体の撮影部位、または撮影方向を認識する装置の構成を、大まかなブロックに従って説明する。
【００５０】
なお、本実施例の形態例の各手段は、ハードウェアやファームウェア、またはソフトウェアで構成することが可能である。このため、各手段の処理手順に沿った機能ブロック図としての図１を示す。
【００５１】
また、この機能ブロック図である図１は、画像出力情報設定方法、および、画像出力情報設定装置、ならびに、画像出力情報設定プログラムの各実施の形態例を理解するためのフローチャートとしても用いることができる。
【００５２】
以下、本実施の形態例の構成および動作について、（１）〜（９）に分類しつつ詳細に説明する。
【００５３】
〈全体構成および処理の流れ〉
▲１▼全体構成：
放射線画像入力手段１０、被写体部位認識手段２０、出力情報記憶手段３０、出力情報設定手段４０、修正手段５０、出力情報表示手段６０、及び制御手段７０が図１に示すように配置されている。
【００５４】
▲２▼処理の流れ：
・放射線画像入力手段１０では、放射線撮影によって得られた画像データを取得する。取得された画像データは、制御手段７０へ送られる。
・制御手段７０では、被写体部位の認識、及び出力情報表示用に、縮小画像データを作成する。そして縮小画像データを被写体部位認識手段２０、出力情報設定手段４０へ送る。
・被写体部位認識手段２０では、画像データ中に占める被写体の位置や範囲に関する情報、及び被写体の撮影部位や体位等の情報を、縮小画像データを解析等して自動的に取得する。そして取得した情報を出力情報設定手段４０、及び制御手段７０に送る。
・出力情報設定手段４０では、被写体の撮影部位や体位等の情報から、最適なマーカを選定し、複数のマーカが記憶されている出力情報記憶手段３０から必要なマーカ情報を取得する。
【００５５】
また、被写体の位置や範囲に関する情報、及びマーカ配置予定位置の画像濃度情報などから、マーカの大きさ、配置、マーカ濃度などを決定する。決定したマーカ情報は、縮小画像データとともに出力情報情報表示手段６０へ送られる。
【００５６】
同様に、出力可能なフィルムサイズも出力情報記憶手段３０から取得され、出力情報設定手段４０によって出力されるフィルムサイズが決定されるとともに、フィルム上に出力される画像領域のトリミング情報を設定する。
【００５７】
このトリミング情報も、出力情報情報表示手段６０へ送られる。
・出力情報情報表示手段６０では、マーカ情報を縮小画像データとともに表示する。また、トリミング情報も合わせて表示する。
【００５８】
一方、修正手段５０は、ユーザからの入力によって、上記出力情報設定手段４０で決定されたマーカ情報やトリミング情報を修正する。もしマーカ情報やトリミング情報が修正された場合は、修正後のマーカ情報等を出力情報設定手段４０及び出力情報表示手段６０に送る。そして出力情報表示手段６０では、修正されたマーカ情報等を表示する。
・さらに、マーカ情報やトリミング情報等の修正が無い場合、及び修正が終了した場合には、ユーザの操作、またはタイムアウトなどの自動操作により、修正手段５０から出力情報決定通知が出力情報設定手段４０に送られる。
・出力情報設定手段４０では、出力情報決定通知を受けると、その時点で保持しているマーカ情報やトリミング情報を制御手段７０に送る。
・制御手段７０では、画像データに対し階調変換処理等の画像処理や、回転／反転、拡大／縮小を行い、画像出力用に上記トリミング情報に従って画像データのトリミングを行った後、得られたマーカ情報を画像データに付加する。そして最終的に画像データを出力する。出力された画像データは、イメージャ等の装置でフィルムへ出力されたり、診断用モニタに表示されて診断に供される。
【００５９】
〈各手段の詳細内容〉
（１）画像入力：
画像入力手段１０では、被写体を透過した放射線を検知して、画像信号として取得する。具体的な構成例としては、輝尽性蛍光体プレートを用いたものとして、特開平１１−１４２９９８号公報や特開２００２−１５６７１６号公報に記載されたものがある。また、フラットパネルディテクタ（ＦＰＤ）を入力装置として用いるものには、特開平６−３４２０９８号公報に記載された、検出したＸ線を直接電荷に変換し、画像信号として取得するものや、特開平９−９００４８号公報に記載された、検出したＸ線を一旦光に変換した後、その光を受光して電荷に変換する、間接方式のものがある。さらに、これらの装置から取得した画像データを、ネットワークを介して取得するものもある。
【００６０】
（２）制御：
制御手段７０は画像入力手段１０から送られたＸ線画像データから、被写体部位認識や画像表示用に使用する縮小画像データを作成する。この縮小画像データを用いて認識等行うことで、システムが必要とするメモリ等のハードウェア資源を少なくし、かつ処理速度の向上を望める。
【００６１】
この縮小画像データは、１画素当たり０．５ｍｍ〜３ｍｍ程度のサイズとすることが望ましい。被写体部位の認識の精度維持及び表示画像を違和感なく観察するためである。作成した縮小画像データは、被写体部位認識手段２０及び出力情報設定手段４０へ送信される。
【００６２】
その後、制御手段７０は、被写体部位認識手段２０より、被写体部位情報を取得し、また出力情報設定手段４０よりマーカ情報及びトリミング情報を取得する。これら情報が取得されると、被写体部位情報から最適な画像処理条件を特定して、前記画像データに対して階調変換処理やエッジ強調処理等の画像処理を行う。また、マーカ情報及びトリミング情報を用いてマーカの配置を行い、かつ画像のトリミングを行って出力する。
【００６３】
（３）被写体部位認識：
被写体部位認識手段２０では、画像データ中に占める被写体の位置や範囲に関する情報、及び被写体の撮影部位や体位等の情報を、縮小画像データを解析等して自動的に取得する。
【００６４】
被写体部位認識手段２０の具体的な構成例としては、例えば特開２００１−３５１０９２号公報に記載されたような手段がある。この方法では、画像データから被写体が撮影されている領域（被写体領域）を抽出し、ラベリングした後、当該被写体領域の外形形状や大きさ、または被写体領域内の信号変化などから複数の特徴量を求め、それら特徴量に基づいて被写体の撮影部位、撮影体位等を決定することができる。
【００６５】
また、特開平４−１４１１５３号公報や、特開平４−１４４５４６号公報に記載された手段のように、ニューラルネットワークや、パターンマッチング、ヒストグラムやプロファイルの解析結果等から得た情報に基づいて、多数決や確信度の高さで撮影部位や撮影体位等を決定する手段も有る。
【００６６】
これらの手段によって得られた被写体の撮影部位、体位等の情報は、以下のような形態で出力情報設定手段４０等に送られる。
【００６７】
被写体の撮影部位、体位等によって１対１に対応付けられた被写体番号ｎ（ｎ＝１，２，．．，Ｎ）を予め設定しておく（例えば、『胸部正面』であればｎ＝１，『腰椎側面』であればｎ＝１０等）。
【００６８】
そして上記のような手段で得られた被写体情報Ｉｓは、１ｂｙｔｅ又は２ｂｙｔｅの情報として、この予め設定された被写体番号のいずれかとして表される。
【００６９】
被写体領域情報については、入力された画像データに対し、被写体領域とそれ以外の領域を区別するラベル情報Ｌとして出力する。例えば、ラベル情報Ｌは、縮小画像データと同サイズのラベル画像であり、ラベル画像と縮小画像データの画素は１対１に対応させておく。
【００７０】
そしてラベル画像について、被写体領域に相当する画素は‘１’の値を取り、それ以外の領域は‘０’の値とすることで表せる。またラベル画像は縮小画像データと同サイズなので、当然ながらラベル画像の１画素当たりに、１０ｘ１０画素，２０ｘ２０画素等、原画像データの複数画素が対応することとなる。
【００７１】
被写体領域情報を取得するためには、上述した特開２００１−３５１０９２号公報に記載された手段や、特開２００１−１４５６１４号公報に記載された手段を用いることができる。求めた被写体情報Ｉｓや被写体領域情報は、制御手段７０及び出力情報設定手段４０に送信する。
【００７２】
（３）出力情報記憶及び出力情報設定：
出力情報記憶手段３０には、上記被写体情報Ｉｓに対応する番号毎にマーカに関する一連の情報が保存されている。例えば、被写体情報Ｉｓが被写体番号ｉとして表される場合は、当該番号に対応するマーカ情報Ｍｉ［ｊ］  （ｉ＝１，２，．．，Ｎ，ｊ＝１，２，．．，α）として表される。
【００７３】
ここで、各マーカ情報は、ｊ個の個別マーカ情報を有し、各個別マーカ情報Ｍｉ［ｊ］＝（Ｋ，Ｐ，Ｓ，Ｄ）として表される。ここでＫはマーカ種別、Ｐは位置情報、Ｓはサイズ情報、Ｄは濃度情報である。
【００７４】
マーカ情報をこのような構成とすることで、一つの被写体に複数のマーカを付加することが可能となる。なお、マーカ種別Ｋ等は以下のように表現される。
【００７５】
ｉ）マーカ種別Ｋは、『Ｌ』『Ａ→Ｐ』等のマーカ種別と１対１に対応する番号ｋｎ、及び出力情報記憶手段３０中に保存されている、実際のマーカに対応するビットマップデータが記憶されているメモリアドレスｍａの組として表される、２ｂｙｔｅ＋８ｂｙｔｅのデータである。
【００７６】
ｉｉ）位置情報Ｐは、画像の『左上』『右下』等予め決められた位置に１対１に対応する番号として表される、１ｂｙｔｅ又は２ｂｙｔｅのデータを一乃至複数有するものである。例えばマーカの配置の候補として、『左上』『右上』『左下』『右下』の４点がある場合には、それぞれ『左上』＝１，『右上』＝２，『左下』＝３，『右下』＝４，という番号を対応させる。そして、もっともマーカを配置したい位置から順に、下記で説明するようにマーカの配置変更が必要となった場合の位置を、優先度が明らかになるような形で保持する。
【００７７】
例えば、Ｐを４個の要素を有する配列とし、Ｐ［０］から順にＰ［３］まで、優先度の高い順番にマーカの配置を指定する。マーカの配置を行わない場合には、マーカ位置を示さない数値、例えば‘０’を代入する。例として『右下』→『左下』→『左上』の順にマーカを配置するものとし、『右上』にはマーカを配置しないとすれば、Ｐ［０］＝４，Ｐ［１］＝３，Ｐ［２］＝１，Ｐ［３］＝０となる。また後述するように、マーカの位置を決めた結果を保存する、位置決定情報Ｐｄも位置情報Ｐに含む。
【００７８】
例えば、上記の例で、マーカの位置が『右下』と決まれば、Ｐｄ＝４となる。また別の情報形態としては、マーカを表すビットマップの左上端位置を、画像の左端、及び上端からの距離と画像横幅、縦幅との比率の組合せ  （ｈｒｔ，ｖｒｔ）として表すものもある。この場合、位置情報Ｐは、８ｂｙｔｅ＋８ｂｙｔｅのデータとなる。同様に、この場合は位置決定情報Ｐｄも実際にマーカのビットマップが配置される際の左上端を示す、８ｂｙｔｅ＋８ｂｙｔｅのデータとなる。
【００７９】
ｉｉｉ）サイズ情報Ｓは、ビットマップデータとして保存されているマーカを、画像上に付加する場合の拡大縮小率を表す８ｂｙｔｅのデータとして表される。
【００８０】
ｉｖ）濃度情報Ｄは、マーカを画像上に表示する際の濃度情報を表し、例えば画像データにおける画素信号値が１２ｂｉｔで表されるなら、濃度情報Ｄも１２ｂｉｔの情報として表される。
【００８１】
出力情報設定手段４０は、マーカ情報取得手段４１と、マーカ設定手段４２及びトリミング情報設定手段４３から構成される。
【００８２】
まず、マーカ情報取得手段４１では、各マーカ情報Ｍｉの保存されているメモリアドレスを、被写体番号ｎと１対１に対応させたテーブルを保持する。そして、被写体情報Ｉｓが入力されると、上記テーブルを参照し、Ｉｓが表す番号に対応するメモリアドレスを特定する。そして、特定されたメモリアドレスから、マーカ情報Ｍｉを読み出す。読み出されたマーカ情報Ｍｉは、マーカ設定手段４２に送られる。
【００８３】
次にマーカ設定手段４２では、読み出されたマーカ情報に基づいて、後述する出力情報表示手段６０で、画像データ上にマーカを配置した場合の見え方を示すため、前記縮小画像データ上に、マーカのビットマップを配置した表示用画像データを作成する。具体的には、読み出されたマーカ情報を解析し、マーカ種別Ｋに記憶されているアドレスからマーカのビットマップデータを呼び出し、サイズ情報Ｓ及び縮小画像データの縮小率に基づいて、当該ビットマップの縮小をおこなう。その後濃度情報Ｄに基づいてマーカの濃度を決定する。そして位置情報Ｐ及び前記縮小率に基づいて、縮小画像データ上にマーカを配置する。対応するマーカが複数あるときは、各マーカについて同様の作業を行う。
【００８４】
ここで、マーカの配置を行う際、位置情報Ｐに指定されている位置に、被写体が撮影されている場合がある。特に診断上必要とされる部分にマーカを重ねてしまうと、当該画像を用いて診断を行うことができず、問題となる。
【００８５】
そこで、位置情報Ｐで指定された位置と上記被写体領域情報Ｌとの比較を行う。位置情報Ｐで指定された位置にマーカのビットマップを配置した場合の当該ビットマップと被写体領域との重なり程度を調べ、５０％以上重なっている場合には、マーカの位置を移動する。
【００８６】
マーカのビットマップの各画素について、被写体領域と重なっているか否かの判定は、ビットマップの各画素が配置される予定の画像データ上の位置に対応する被写体領域情報Ｌのラベル画像の画素値が‘１’か‘０’かで判定できる。
当該画素値が‘１’であれば、被写体領域と重なっている。
【００８７】
移動方法は以下の通りである。
【００８８】
上記判定により、マーカの移動が必要と判定された場合、位置情報Ｐに示される次位の優先度に示される位置へマーカを移動する。
また、当該移動後の位置で再びマーカのビットマップと被写体領域との重なり程度を調べ、再び当該ビットマップの５０％以上が重なっている場合には、さらに次位の優先度に示される位置へマーカを移動する。
【００８９】
そして同様の判定を繰り返す。重なり程度が５０％未満となった位置に、マーカを配置する。もし、全ての配置位置の候補で、被写体領域と５０％以上重なるならば、最も優先度の高い位置にマーカを配置する。
【００９０】
マーカの配置が終了すると、位置情報Ｐを書き換える。マーカの位置を『右下』等予め定めた位置にしか配置しない場合は、実際にマーカを配置する位置を示す番号を、位置情報Ｐに含まれる前記位置決定情報Ｐｄに記憶する。
【００９１】
また、別の移動方法としては、以下のものが有る。上記ビットマップの各画素のうち、被写体領域と重なっている画素の重心Ｇｉ及び重ならない画素の重心Ｇｏを求める。次にＧｉとＧｏを結ぶ直線を求め、当該直線上をＧｏ側へ移動する。移動量はＧｉから反Ｇｏ側の当該ビットマップの端までの距離である。もし、上記のようにマーカを移動させると、マーカが画像領域からはみ出す場合は、マーカの位置を、画像の中心点対象な位置へ移動する。この場合、位置決定情報Ｐｄには、マーカのビットマップの左上端座標を示す８ｂｙｔｅ＋８ｂｙｔｅの値が記憶される。
【００９２】
マーカの配置が決定されると、濃度情報Ｄに基づいて、表示用縮小画像データ上にマーカ自体の濃度がＤとなるように、マーカのビットマップが重ねて配置される。また、マーカが配置される部分の画像濃度が、Ｄと差が少ない場合には、マーカの濃度を変更し、マーカと近傍の画像濃度の差を大きくとるように変更してもよい。
【００９３】
例えば本実施例において、画像濃度が０〜４０９５の１２ｂｉｔで表される場合で、マーカ配置部分の平均画像濃度をＤａｖとする場合、
｜Ｄ−Ｄａｖ｜＜１０００かつＤａｖ＞２０４７なら、Ｄ＝０とし、
｜Ｄ−Ｄａｖ｜＜１０００かつＤａｖ≦２０４７なら、Ｄ＝４０９５、
に変更する方法が有る。
【００９４】
次に、トリミング情報設定手段４３により、トリミング領域の決定を行う。
トリミング領域の決定は、前記被写体領域情報Ｌのラベル画像から、被写体領域の上下左右端を決定した後、被写体領域全てが収まる最小のフィルムサイズを選択することによって行う。被写体領域の上下左右端（それぞれＥｔ，Ｅｂ，Ｅｌ，Ｅｒとする）は、以下のように決定する。前記被写体領域情報Ｌのラベル画像を調べ、ラベル画像中でもっとも上端に存在する、画素値‘１’の画素を検出する。この検出は画像の左端から右端まで水平方向に走査してラベル画像の画素値を調べる操作を、画像の上端から下側へ順に行うことで可能である。
【００９５】
ラベル画像の画素値が、最初に‘１’となる画素の垂直方向座標を被写体領域の上端Ｅｔとして記憶する。同様に、画像端から順に走査して、もっとも画像端に近い位置に存在する、画素値‘１’の画素の座標を求めることにより、Ｅｂ，Ｅｌ，Ｅｒを決定することができる。
【００９６】
全ての画像端が決定されると、被写体領域の垂直方向長さｌｖ、水平方向長さｌｈを求める。
【００９７】
ここでｌｖ＝｜Ｅｂ−Ｅｔ｜、ｌｈ＝｜Ｅｒ−Ｅｌ｜である。次にｌｖ、ｌｈと、選択可能なフィルムサイズについてのフィルム垂直方向長さｆｉｖ  （ｉ＝０，１，．．）、水平方向長さｆｉｈ  （ｉ＝０，１，．．）を比較する。なお、フィルムサイズは、小さい方から順に、ｉ＝０，ｉ＝１，．．として記憶しておく。
ｉ＝０から順に、ｆｉｖ−ｌｖ，ｆｉｈ−ｌｈ，及びｆｉｈ−ｌｖ，ｆｉｖ−ｌｈ  を計算する。
ｆｉｖ−ｌｖ≧０かつｆｉｈ−ｌｈ≧０    …（１）、
ｆｉｈ−ｌｖ≧０かつｆｉｖ−ｌｈ≧０    …（２）、
のいずれかが満たされた場合、フィルムサイズをｉとして決定する。
特に、（２）式の条件を満たす場合には、画像データをフィルム出力する際に、制御手段７０で画像を９０°又は２７０°回転できるよう、原画像に対し、回転角を示す回転情報を記憶する。
【００９８】
また、フィルム領域上に画像を配置するためのトリミング座標は、フィルムに対し、被写体領域の表示されない部分が上下左右均等となるよう、トリミング座標の左上端Ｔｌｔ、及び右下端Ｔｒｂを以下のように決定する。
Ｔｌｔ＝（Ｅｌ−（ｆｉｈ−ｌｈ）／２，Ｅｔ−（ｆｉｖ−ｌｖ）／２）、
Ｔｒｂ＝（Ｅｌ−（ｆｉｈ−ｌｈ）／２＋ｆｉｈ，Ｅｔ−（ｆｉｖ−ｌｖ）／２＋ｆｉｖ）、
なお、以上の２式は、ｆｉｖ−ｌｖ≧０かつｆｉｈ−ｌｈ≧０が成り立つ場合である。
Ｔｌｔ＝（Ｅｌ−（ｆｉｖ−ｌｈ）／２，Ｅｔ−（ｆｉｌ−ｌｖ）／２）、
Ｔｒｂ＝（Ｅｌ−（ｆｉｖ−ｌｈ）／２＋ｆｉｖ，Ｅｔ−（ｆｉｈ−ｌｖ）／２＋ｆｉｈ）、
なお、以上の２式は、ｆｉｈ−ｌｖ≧０かつｆｉｖ−ｌｈ≧０が成り立つ場合である。
ただし、画像の左上端を（０，０）とし、右側へｘ画素、下側へｙ画素移動した位置の座標を（ｘ，ｙ）として表す。
【００９９】
マーカの配置及びトリミング領域が決定すると、表示用縮小画像データ、マーカ情報Ｍｉ及びトリミング座標Ｔｌｔ，Ｔｒｂは、出力情報表示手段６０へ送られる。
【０１００】
さらに、下記で説明する修正手段５０より、修正後のマーカ情報Ｍｉを得れば、当該マーカ情報を解析し、マーカ種別Ｋに記憶されているアドレスからマーカのビットマップデータを呼び出し、サイズ情報Ｓ及び濃度情報Ｄに基づいてマーカのビットマップを加工する。そして位置情報Ｐに基づいて、縮小画像データ上にマーカを配置する。再度出力情報表示手段６０へ表示用画像データを送信する。
【０１０１】
その後、修正手段５０より出力情報決定通知を受け取った場合、その時点で保持しているマーカ情報Ｍｉ及びトリミング情報が、制御手段７０へ送られる。
【０１０２】
（４）修正及び出力情報表示：
出力情報表示手段６０は、例えばタッチパネル付きのモニタ等で構成される。そして、出力情報設定手段４０で作成されたマーカ付きの表示用画像データを当該モニタに表示することで、ユーザは設定されているマーカ情報を確認することができる。
【０１０３】
また、修正手段５０は、出力表示手段６０と一体的に構成されるもので、例えば図２のように、マーカ情報の表示とともに、マーカ種別の修正候補を表示したり、マーカ位置をユーザが変更できるようになっている。
【０１０４】
図２で、マーカ変更ボタン５１にユーザが触れると、図３のように、表示可能な他の種類のマーカが修正候補５２がポップアップウィンドウとして表示される。各修正候補には、前記マーカ種別番号ｋｎ及び、ビットマップの保存アドレスｍａが対応付けられている。
【０１０５】
ユーザがそれら候補の中から一つを選択すると、当該変更ボタンに対応付けられたマーカ種別番号ｋｎ等でマーカ情報Ｍｉ中のマーカ種別情報Ｋが書き換えられ、出力情報設定手段４０へ送られる。そして出力情報設定手段４０において、当該修正後の情報を基に表示画像が再計算される。そして修正後のマーカ情報を含む表示用画像が再度出力表示手段６０に送られ、再表示される。また、修正手段５０は、マーカ移動開始フラグを有し、マーカの移動操作を司る。
【０１０６】
通常の状態では、当該フラグは‘０’の値を取り、マーカの移動を行わないマーカ固定モードを表す。
【０１０７】
次に、図２で画像６１中のマーカ６３に触れると、マーカ移動開始フラグに‘１’が代入され、マーカの移動が可能なマーカ移動モードとなる。そして、マーカを配置させたい画像中の位置に触れると、当該位置にマーカのビットマップの重心が来るよう、マーカの位置を強制的に変更するよう、マーカ情報Ｍｉが修正される。
【０１０８】
マーカ情報修正後、当該フラグには再び‘０’が代入され、マーカ固定モードとなる。そして修正されたマーカ情報が、修正手段５０から出力情報設定手段４０へ送られ、修正された情報に基づいて表示画像を再計算する。出力情報設定手段４０が再計算して求めた表示画像は、再び出力表示手段６０へ送られ、再表示される。これらの修正手段の作用により、被写体の撮影部位・体位等の判別を誤った場合でも正しい情報に修正することが可能となる。
【０１０９】
また、トリミングについては、トリミング座標Ｔｌｔ，Ｔｒｂをそれぞれ左上端、右下端として、トリミングされる境界を示す枠線が、画像データと重ねて表示される。
【０１１０】
トリミング領域の修正は、以下のように行われる。トリミングサイズを変更せず、トリミング位置のみを変更する場合は、ユーザが画像に触れた位置を中心とする位置へトリミング領域を移動する。
【０１１１】
トリミングサイズを変更する場合は、図２に示されるフィルムサイズのボタンを押すことで、フィルムサイズに応じたトリミングサイズに変更される。
【０１１２】
修正が終了した場合は、図２中の『決定』ボタン５４を押すことにより、修正手段５０から出力情報決定通知が出力情報設定手段４０に送られる。
【０１１３】
〈本発明の実施の形態例の効果〉
以上説明した各部を備えた本発明の実施の形態例によれば、以下に列記するような作用・効果が得られる。
【０１１４】
以上説明したように本発明の実施の形態例では、画像出力情報を自動設定する際に、複数種類のマーカに関するマーカ情報を出力情報として予め記憶しておき、画像データを解析することで被写体の撮影部位または撮影方向を自動的に認識して撮影部位方向情報を生成し、この撮影部位方向情報に基づいて画像データに付加するマーカを選定し、この選定されたマーカを呼び出して画像データに付加するようにしている。この結果、被写体の撮影部位や撮影方向等に応じて適切なマーカを自動的に選択配置できることにより、ユーザが手入力してマーカを設定する必要がなくなるため、操作を簡便化することができる。
【０１１５】
また、被写体部位認識の際に入力された画像データ中に占める被写体の領域を認識するとともに、該被写体領域の画像中の位置や範囲を表す被写体領域情報を出力し、出力情報設定の際に、被写体領域情報に基づいて、画像中に占めるマーカの位置または大きさを変更する、ようにしている。この結果、被写体中の診断に必要な部分に、マーカを重ねて配置してしまうことがなくなり、適切な位置や大きさでマーカを画像に対して付与することが可能になる。
【０１１６】
また、出力情報を修正する際に、マーカ種別またはマーカ位置の変更を受け付けつつ、この受け付けた変更を反映しつつ出力情報として表示するようにしている。この結果、誤ったマーカ情報を自動的に付与したとしても、正しい情報に変更することが可能となる。また、ユーザがより適当な情報へ修正することも可能となる。
【０１１７】
さらに、画像データを解析することで被写体が撮影されている被写体領域を認識しておき、画像データに応じた画像をフィルム出力する際のフィルムのサイズ、及び、画像データ中のトリミング領域の位置を決定する際に、被写体領域情報に基づいてトリミングサイズ及びトリミング位置を決定するようにしている。この結果、出力する際のフィルムのサイズ、及び、画像データ中のトリミング領域の位置を決定する際に、ユーザが目視確認しながら操作することを必要とせず、最適なトリミング設定を行うことができる。
【０１１８】
【発明の効果】
以上、詳細に説明したように、本発明では、以下に述べるような効果が得られる。
【０１１９】
（１）第１の発明では、画像出力情報を自動設定する際に、複数種類のマーカに関するマーカ情報を出力情報として予め記憶しておき、画像データを解析することで被写体の撮影部位または撮影方向を自動的に認識して撮影部位方向情報を生成し、この撮影部位方向情報に基づいて画像データに付加するマーカを選定し、この選定されたマーカを呼び出して画像データに付加するようにしている。この結果、被写体の撮影部位や撮影方向等に応じて適切なマーカを自動的に選択配置できることにより、ユーザが手入力してマーカを設定する必要がなくなるため、操作を簡便化することができる。
【０１２０】
（２）第２の発明では、被写体部位認識の際に入力された画像データ中に占める被写体の領域を認識するとともに、該被写体領域の画像中の位置や範囲を表す被写体領域情報を出力し、出力情報設定の際に、被写体領域情報に基づいて、画像中に占めるマーカの位置または大きさを変更する、ようにしている。この結果、被写体中の診断に必要な部分に、マーカを重ねて配置してしまうことがなくなり、適切な位置や大きさでマーカを画像に対して付与することが可能になる。
【０１２１】
（３）第３の発明では、出力情報を修正する際に、マーカ種別またはマーカ位置の変更を受け付けつつ、この受け付けた変更を反映しつつ出力情報として表示するようにしている。この結果、誤ったマーカ情報を自動的に付与したとしても、正しい情報に変更することが可能となる。また、ユーザがより適当な情報へ修正することも可能となる。
【０１２２】
（４）第４の発明では、画像データを解析することで被写体が撮影されている被写体領域を認識しておき、画像データに応じた画像をフィルム出力する際のフィルムのサイズ、及び、画像データ中のトリミング領域の位置を決定する際に、被写体領域情報に基づいてトリミングサイズ及びトリミング位置を決定するようにしている。この結果、出力する際のフィルムのサイズ、及び、画像データ中のトリミング領域の位置を決定する際に、ユーザが目視確認しながら操作することを必要とせず、最適なトリミング設定を行うことができる。
【図面の簡単な説明】
【図１】本発明の実施の形態例の画像出力情報設定方法の手順、および、画像出力情報設定装置の構成、ならびに、画像出力情報設定プログラムの動作を示す機能ブロック図である。
【図２】本発明の実施の形態例における表示および修正の様子を示す説明図である。
【図３】本発明の実施の形態例における表示および修正の様子を示す説明図である。
【符号の説明】
１０  放射線画像入力手段
２０  被写体部位認識手段
３０  出力情報記憶手段
４０  出力情報設定手段
５０  修正手段
６０  出力情報表示手段
７０  制御手段
【図１】
2004337291.tif 000003
【図２】
2004337291.tif 000004
【図３】
2004337291.tif 000005